(57)【特許請求の範囲】
【請求項１】
エレベータの昇降路の底面に配置されるとともに上記底面にかごまたはおもりが衝突する直前に円筒コイルバネを圧縮することにより衝撃を緩和するバネ緩衝器において、  上記円筒コイルバネを嵌め込まれるとともに上記円筒コイルバネの水平方向への移動を防止する円筒形のガイドパイプと、 上記円筒コイルバネを上記ガイドパイプに保持する保持機構と を備え、 上記保持機構は、上記ガイドパイプに固定されるクリップを有し、 上記クリップは、前記ガイドパイプに嵌め込まれた上記円筒コイルバネに引っ掛けられる爪を含んでいることを特徴とするエレベータのバネ緩衝器。
【発明の詳細な説明】
【技術分野】
【０００１】
この発明は、異常時に昇降体が昇降路の底面に衝突する衝撃を緩和するエレベータのバネ緩衝器に関するものである。
【背景技術】
【０００２】
ばね緩衝器は、昇降路を昇降するエレベータのかごからなる昇降体の底面と対向し、エレベータの昇降路の底面に立設されており、円筒圧縮コイルばねからなっている。ばね緩衝器のバネはパイプの台に溶接され、そのパイプの台が緩衝器取付け板に溶接され、その緩衝器取付け板がボルトで昇降路の底面に止められている（例えば、特許文献１参照）。
【０００３】
そして、通常状態において要時に昇降路に設けられた最下階の乗場に停止する。この状態では、昇降体とばね緩衝器の上端の間に空隙が形成されて、昇降体によってばね緩衝器が圧縮されることはない。しかし、何らかの異常発生によって昇降体が最下階の乗場に対応した所定位置を越えて下降した場合には、昇降体の下面がばね緩衝器に衝突する。これによってばね緩衝器が圧縮され、昇降体の運転エネルギー及び位置エネルギーがばね緩衝器の圧縮エネルギーに変換され、衝突時の衝撃が緩衝されて昇降体が停止するようになっている。
【先行技術文献】
【特許文献】
【０００４】
【特許文献１】特開２０００−３０２３５３号公報
【発明の概要】
【発明が解決しようとする課題】
【０００５】
通常、ばね緩衝器には適用可能な荷重範囲（最小〜最大）が設定されている。一般的に適用荷重の最小値は衝突時の減速度のピークが大きくならないように設計する必要があり、また最大値はばね単体の強度を確認しながら設計する必要がある。しかしながら、ばねを溶接で台に取り付けるためバネ特性が変化し適用範囲が外れるといった問題がある。
【０００６】
この発明は、上述のような課題を解決するためになされたものであり、取付ける際に円筒コイルバネのバネ特性が変動を受けることがないエレベータのバネ緩衝器を得ることを目的とする。
【課題を解決するための手段】
【０００７】
この発明に係るエレベータのバネ緩衝器は、エレベータの昇降路の底面に配置されるとともに上記底面にかごまたはおもりが衝突する直前に円筒コイルバネを圧縮することにより衝撃を緩和するバネ緩衝器において、上記円筒コイルバネを嵌め込まれるとともに上記円筒コイルバネの水平方向への移動を防止する円筒形のガイドパイプと、上記円筒コイルバネを上記ガイドパイプに保持する保持機構とを備え、上記保持機構は、上記ガイドパイプに固定されるクリップを有し、上記クリップは、前記ガイドパイプに嵌め込まれた上記円筒コイルに引っ掛けられる爪を含んでいる。
【発明の効果】
【０００８】
この発明に係るエレベータのバネ緩衝器は、昇降路の底面に固定される緩衝器取付け板に台が固定され、その台にガイドパイプが固定され、そのガイドパイプに円筒コイルバネが嵌め込まれており、円筒コイルバネには溶接が施されず熱が加わらないので、バネ緩衝器を取付けるときに円筒コイルバネのバネ特性が変動を受けることがないという効果を奏する。
【図面の簡単な説明】
【０００９】
【図１】この発明の実施の形態１に係るエレベータのバネ緩衝器の外形図である。
【図２】この発明の実施の形態１に係るエレベータのバネ緩衝器の別の例の外形図である。
【図３】この発明の実施の形態２に係るエレベータのバネ緩衝器の外形図である。
【図４】この発明の実施の形態２に係る保持する機構の部分の拡大図である。
【図５】この発明の実施の形態２に係るエレベータのバネ緩衝器の別の例の外形図である。
【発明を実施するための形態】
【００１０】
以下、本発明のエレベータのバネ緩衝器の好適な実施の形態につき図面を用いて説明する。
実施の形態１．
図１は、この発明の実施の形態１に係るエレベータのバネ緩衝器の外形図である。なお、図１における（ａ）は正面図であり、（ｂ）は平面図である。
この発明の実施の形態１に係るエレベータのバネ緩衝器１は、エレベータのかごまたはおもりが衝突したときの衝撃を緩和する円筒コイルバネ２と、円筒コイルバネ２が外側面に嵌められたガイドパイプ３と、ガイドパイプ３が内側に挿入された台４と、台４が固定された緩衝器取付け板５と、を備える。
ガイドパイプ３は、有底の円筒であり、外径は円筒コイルバネ２の内径より僅かに大きく、円筒コイルバネ２をガイドパイプ３に嵌め込むと、円筒コイルバネ２が外側に広がってガイドパイプ３を押し付ける。
台４は、円筒であり、内径はガイドパイプ３の外径と同じか僅かに大きい。ガイドパイプ３は、台４に挿入され溶接されると、台４は後述のように昇降路の底面６に対して固定されているので、ガイドパイプ３の水平方向の動きが防止される。
また、台４は緩衝器取付け板５に溶接により固定される。
緩衝器取付け板５は、平板であり、平板の中央には台４が固定されている。また、周縁部にはボルト７が貫通する穴８が設けられ、緩衝器取付け板５がボルト７で昇降路の底面６に止められている。
【００１１】
次に、このバネ緩衝器１の作動について説明する。ここではかごに対応するバネ緩衝器１について説明するが、釣合いおもりに対しても同様である。
何らかの異常発生によってかごが最下階の乗場に対応した所定位置を越えて下降したとき、かごの底面が円筒コイルバネ２に衝突する。円筒コイルバネ２の底面は台４に当たっているので、表面から押されると円筒コイルバネ２は圧縮され、かごの運転エネルギー及び位置エネルギーが円筒コイルバネ２の圧縮エネルギーに変換され、衝突時の衝撃が緩衝されてかごが停止するようになっている。
なお、円筒コイルバネ２はガイドパイプ３に嵌め込まれているだけであるが、上述のように作動するときは円筒コイルバネ２はかごと台４に挟まれるので円筒コイルバネ２が外れることはない。
【００１２】
この発明の実施の形態１に係るエレベータのバネ緩衝器１は、昇降路の底面６に固定される緩衝器取付け板５に台４が固定され、その台４にガイドパイプ３が固定され、そのガイドパイプ３に円筒コイルバネ２が嵌め込まれており、円筒コイルバネ２には溶接が施されず熱が加わらないので、円筒コイルバネ２のバネ特性がバネ緩衝器１を組み立てる際に変動受けることがない。
また、円筒コイルバネ２と台４とは別々に仕込むことができ、向け先毎に円筒コイルバネ２を嵌めて出荷でき生産に合理化が図れる。
【００１３】
なお、上述のガイドパイプ３は台４に挿入された後に溶接されて台４に固定されているが、図２に示すように、台４を省略してガイドパイプ３を緩衝器取付け板５に直接溶接して固定しても良い。このようにすることにより台４を省略でき、コストを低減することができる。
【００１４】
実施の形態２．
図３は、この発明の実施の形態２に係るエレベータのバネ緩衝器の外形図である。図４は、クリップにより円筒コイルバネをガイドパイプに保持した部分の拡大図である。なお、図４における（ａ）は図３の保持する機構９ａ、（ｂ）は図３の保持する機構９ｂの拡大図である。
この発明の実施の形態２に係るエレベータのバネ緩衝器１Ｂは、この発明の実施の形態１に係るエレベータのバネ緩衝器１に円筒コイルバネ２をガイドパイプ３に保持する機構９ａ、９ｂを追加したことが異なり、それ以外は同様であるので、同様な部分に同じ符号を付記し説明は省略する。
【００１５】
保持する機構９ａ、９ｂは、円筒コイルバネ２を爪により掴むクリップ１１と、クリップ１１に設けられた長穴１１ａを貫通しガイドパイプ３に設けられたネジ穴３ａにねじ込まれる押さえネジ１２と、を有する。
この保持する機構９ａ、９ｂは、次のようにして組み立てられる。ガイドパイプ３に円筒コイルバネ２を嵌め込み、次にクリップ１１の爪の部分を円筒コイルバネ２に引っ掛ける。それから、クリップの長穴１１ａとガイドパイプのネジ穴３ａとを位置合わせし、押さえネジ１２でクリップ１１をガイドパイプ３に締結する。このようにすることにより円筒コイルバネ２がガイドパイプ３から上方に抜けることを防止できる。
【００１６】
この発明の実施の形態２に係るエレベータのバネ緩衝器１Ｂは、この発明の実施の形態１に係るエレベータのバネ緩衝器１と同様な効果を奏しますが、さらに保持する機構９ａ、９ｂが追加されているので、円筒コイルバネ２がガイドパイプ３からより抜け難いという効果を奏する。
【００１７】
なお、上述のガイドパイプ３は台４に挿入された後に溶接されて台４に固定されているが、図５に示すように、台４を省略してガイドパイプ３を緩衝器取付け板５に直接溶接して固定しても良い。
【符号の説明】
【００１８】
１、１Ｂ  バネ緩衝器、２  円筒コイルバネ、３  ガイドパイプ、３ａ  ネジ穴、４  台、５  緩衝器取付け板、６  （昇降路の）底面、７  ボルト、８  （緩衝器取付け板）の穴、９ａ、９ｂ  保持する機構、１１  クリップ、１１ａ  長穴、１２  押さえネジ。
【図１】
0005473489.tif 000002
【図２】
0005473489.tif 000003
【図３】
0005473489.tif 000004
【図４】
0005473489.tif 000005
【図５】
0005473489.tif 000006